(57)【特許請求の範囲】
【請求項１】
金型を保管する際に当該金型のＵ溝に嵌装され金型の下面に所要の間隙を確保する金型用ストックブロックセットであって、
前記金型のＵ溝内に嵌装されるブロックセットの柱状部分に、当該Ｕ溝の壁面に弾性的に拡開し当接する弾性体が設けられ、
前記弾性体は、ブロックセットの柱状部分にその一部が固定されると共に、当該固定部分から右翼と左翼に拡開する両翼部分の長手方向の長さが異なっていること、
を特徴とする金型用ストックブロックセット。
【請求項２】
弾性体における短い方の短片翼部分の長手方向の長さは、固定部分の位置からブロックセットの柱状部分の周方向における略１／４周分の長さ又はそれを越える長さであること、
を特徴とする請求項１に記載の金型用ストックブロックセット。
【請求項３】
弾性体における長い方の長片翼部分の長手方向の長さは、金型のＵ溝に嵌装させた使用状態において当該Ｕ溝の開口端部に至る長さであること、
を特徴とする請求項１または２に記載の金型用ストックブロックセット。
【発明の詳細な説明】
【０００１】
【発明の属する技術分野】
本発明は、プレス金型等の重いものを保管する際に使用されるストックブロックに係り、例えば、金型を保管場所において載置するため、金型の隅部の下側に嵌装させて保護するストックブロックに関する。
【０００２】
【従来の技術】
従来、重量物（例えば、数十トン）であるもの、例えば大型金型等をそれ用の保管庫に保管する場合には、床面に木製枕木や樹脂製枕木を載置し、その枕木の上に前記大型金型等の重量物を置いている。
【０００３】
これにより、金型の下面に傷が付くのを防止されると共に、錆等の発生が防止されるものである。
【０００４】
【発明が解決しようとする課題】
しかしながら、金型は上下方向に重ね積みされるものであり、また、金型工場から金型を使用するプレス工場へと移送される事が多々あり、単なる棒状の枕木では、金型の移動毎に所定の位置に敷設しなければならないという手間が掛かる。
【０００５】
一方、金型の基部に通常設けられる、プレス機械のボルスターに締め付け固定させるための、図７に示すＵ溝１１に遊嵌させるだけの介在物１２では、金型１０の移動時において、上位置の金型のＵ溝１１から落下するおそれがある、という問題点がある。
【０００６】
本発明に係る金型用ストックブロックセットは、このような課題を解消するために提案され、金型に簡易に装着できて、かつ、その取り外しが容易な着脱自在型にして、更に、その製作コストの安価なものを提供することを目的とするものである。
【０００７】
【課題を解決するための手段】
本発明の上記課題を解決するための要旨は、金型を保管する際に当該金型のＵ溝に嵌装され金型の下面に所要の間隙を確保する金型用ストックブロックセットであって、前記金型のＵ溝内に嵌装されるブロックセットの柱状部分に、当該Ｕ溝の壁面に弾性的に拡開し当接する弾性体が設けられ、前記弾性体は、ブロックセットの柱状部分にその一部が固定されると共に、当該固定部分から右翼と左翼に拡開する両翼部分の長手方向の長さが異なっていることである。
【０００８】
前記弾性体における短い方の短片翼部分の長手方向の長さは、固定部分の位置からブロックセットの柱状部分の周方向における略１／４周分の長さ又はそれを越える長さであること、；弾性体における長い方の長片翼部分の長手方向の長さは、金型のＵ溝に嵌装させた使用状態において当該Ｕ溝の開口端部に至る長さであることを含むものである。
【０００９】
本発明に係る金型用ストックブロックセットによれば、保管しようとする金型のボルスターへの締め付け用のＵ溝に嵌合させると、拡開している弾性体が該Ｕ溝の壁面によって縮退せしめられて弾発力が生じることになり、この弾発力によって嵌合された金型用ストックブロックセットの金型からの脱落が防止される。
【００１０】
また、金型用ストックブロックセットにおける、柱上部分の固定部分から右翼と左翼に拡開した翼部分が、その長手方向の長さが異なっているので、当該ブロックセットの上部把持部分を略半回転させることで、短片翼部分がＵ溝の壁面から離間され、かつ、長片翼部分がＵ溝の壁面から離間されて、前記弾発力が消散することになり、当該Ｕ溝から金型用ストックブロックセットを容易に取り外すことができるものである。
【００１２】
【発明の実施の形態】
次に、本発明に係る金型用ストックブロックセットについて図面を参照して説明する。この金型用ストックブロックセット１は、図１に示すように、一例として、合成樹脂製の円形状の基台２と、同じく合成樹脂製で円柱状の柱状部分３と、合成樹脂製で円形状の上部把持部４と、該柱状部分３に固定して設けられる、例えば、ステンレス製のバネ鋼等の弾性体５とから概ね構成されている。
【００１３】
前記各構成体は、別体として形成され、そして、基台２と柱状部分３とは、中心部においてボルト６で固定されている。また、柱状部分３と上部把持部４とは、図１乃至図２に示すように、ボルト７，７の２本で固定されている。
【００１４】
なお、前記基台２、柱状部分３、上部把持部４とを一体成型することを妨げるものではない。また、基台２と柱状部分３とを一体成型とすることも同様である。基台２と上部把持部４とは、円形状に限るものではなく、多角形状や矩形状でもよい。
【００１５】
また、前記基台２と上部把持部４との間に、保管する金型のＵ溝部分が入り込むので、その金型の肉厚寸法よりも柱状部分３の高さを高くして（例えば、約５０ｍｍ程度）ある。
【００１６】
前記柱状部分３の直径は、保管する金型の締め付け用のＵ溝に嵌装するものなので、図５に示すように、該Ｕ溝１１の幅の寸法ａとすると、Ｄ=ａ−（弾性体５の板厚ｔ×２）と同じ寸法かそれより若干小さい寸法である。
【００１７】
前記弾性体５は、所要幅の帯状体で形成されるもので、所望位置に貫通孔を設けて、ボルト（皿ボルト、この他、例えば、タッピングネジ等）８で柱状部分３に固定される。また、この貫通孔を設ける部分を、図４に示すように、凹部にして平坦部５ｃとし（柱状部分３側にも平坦部３ａを設ける）、ボルト８の頭部８ａが、弾性体５の外側曲面(外表面）から突出しないようにしてある。
【００１８】
これによって、柱状部分３を回転させる際に、ボルト８の頭部８ａがＵ溝壁面に衝突して、該回転作用の邪魔になることが防止され、滑らかに柱状部分３を回転させることが出来るものである。
【００１９】
この弾性体５の固定方法は、図示した実施例の形態に限定されるものではなく、例えば、インサート成型方法によって、柱状部分３に弾性体５の一部埋設させることで固定する方法でもよい。
【００２０】
また、弾性体５は、最良の実施形態として帯状体としたが、場合によっては、他の実施例として、棒状のスプリングによって形成してもよいものである。
【００２１】
前記弾性体５の翼部分のうちの短片翼部分５ａは、図４に示すように、その長手方向の長さが、固定部分Ａの位置からブロックセットの柱状部分３の周方向における略１／４周分の長さ、又は、それを若干越える長さにされている。
【００２２】
なお、この短片翼部分５ａの長さは、柱状部分３の周方向における略１／４周分の長さ、または、これより若干長くするのを最良形態とするもので、厳密に規定するものでなはないので、これよりも若干短くすることを妨げるものではない。但し、長片翼部分５ｂよりも、外観上で明らかに短いものである。
【００２３】
前記弾性体５における長片翼部分５ｂの長手方向の長さは、図５に示すように、金型１０のＵ溝１１に嵌装させた使用状態において、当該Ｕ溝１１の開口端部１１ａに至る長さである。この長片翼部分５ｂの長さも、厳密に規定するものでなく、開口端部１１ａから若干短くて引っ込んでいたり、若干長くて突出していたりする場合を含むものである。なお、安全上、長片翼部分５ｂの先端部を開口端部１１ａから突出させないようにした方がよい、とするものである。
【００２４】
以上のようにして形成される金型用ストックブロックセット１によれば、基台２と弾性体５が固定された柱状部分３と上部把持部４とを、連結手段あるボルト６，７で固定して図４に示す状態にした金型用ストックブロックセット１を、保管しようとする金型１０のＵ溝１１に、図５に示すように、その柱状部分３を開口端部１１ａから奥側に差し込むことで、嵌装させる。
【００２５】
すると、弾性体５の短片翼部分５ａと長片翼部分５ｂとが、Ｕ溝１１の両側壁面に当接して、拡開状態から柱状部分３の周壁面に沿って嵌装力により強制的に変形される。この変形により、弾性体５の両翼部分５ａ，５ｂで弾発力が生じて、いわゆる突っ張った状態となって、当該金型用ストックブロックセット１がＵ溝１１に安定して保持される。
【００２６】
この状態で、金型１０が保管場所に載置され、かつ、更に段積みされる。そして、金型１０を使用する際、または、移動させる際に、前記Ｕ溝１１に嵌装させた金型用ストックブロックセット１を取り外すには、図６に示すように、金型用ストックブロックセット１の上部把持部４を手で掴んで、矢印で示す所定の方向（短片翼部分５ａから長片翼部分５ｂに向かう方向）に、例えば、略９０°程度回転させる。このとき、固定部分Ａにおけるボルト８の頭部８ａは、弾性体５の外側表面から突出していないので、スムーズに回転させることとができるものである。
【００２７】
すると、長片翼部分５ｂが図４に示す元の状態にほぼ戻ることになり、前記強制変形による弾発力が消勢される。また、短片翼部分５ａの弾発力で柱状部分３が開口端部１１ａに向かって押し出される。よって、手で金型用ストックブロックセット１を矢印方向へ引き出す（図６参照）のが容易になる。
【００２８】
このように、金型用ストックブロックセット１は、短片翼部分５ａと長片翼部分５ｂとを有する弾性体５を備えていることで、金型１０のＵ溝１１に嵌装させた状態では、しっかりと保持され、外すときには、所定方向に回転させる事で容易に取り出すことが出来るものである。
【００２９】
【発明の効果】
以上説明したように、本発明に係る金型用ストックブロックセットは、金型を保管する際に当該金型のＵ溝に嵌装され金型の下面に所要の間隙を確保する金型用ストックブロックセットであって、前記金型のＵ溝内に嵌装されるブロックセットの柱状部分に、当該Ｕ溝の壁面に弾性的に拡開し当接する弾性体が設けられているので、金型用ストックブロックセットが金型のＵ溝から脱落することが防止され、金型の移動中における安全性が向上するという優れた効果を奏するものである。
【００３０】
また、前記弾性体は、ブロックセットの柱状部分にその一部が固定されると共に、当該固定部分から右翼と左翼に拡開する両翼部分の長手方向の長さが異なっているので、外す時には、該金型用ストックブロックセットを所定方向に回転させることで、一方の翼部分の弾発力が消勢されて、簡単に金型用ストックブロックセットを金型のＵ溝から外すことができるという優れた効果を奏するものである。
【００３１】
更に、前記弾性体における短い方の短片翼部分の長手方向の長さは、固定部分の位置からブロックセットの柱状部分の周方向における略１／４周分の長さ又はそれを越える長さであること、または、前記弾性体における長い方の長片翼部分の長手方向の長さは、金型のＵ溝に嵌装させた使用状態において当該Ｕ溝の開口端部に至る長さであることである。
【００３２】
このようにすることで、嵌装状態でしっかりと保持されるとともに外すときも容易にできるようになるという優れた効果を奏するものである。
【図面の簡単な説明】
【図１】本発明に係る金型用ストックブロックセットの正面図である。
【図２】同本発明に係る金型用ストックブロックセットの平面図である。
【図３】同本発明に係る金型用ストックブロックセットの底面図で、ボルト６が有る場合と無い状態とを半分に分けて示してある。
【図４】同本発明に係る金型用ストックブロックセットの、上部把持部分を除いた状態の平面図である。
【図５】本発明に係る金型用ストックブロックセットを金型のＵ溝に嵌装させる様子を示す説明図である。
【図６】同本発明に係る金型用ストックブロックセットを、金型のＵ溝から外す様子を示す説明図である。
【図７】従来例に係るブロックセットの使用状態を示す説明図である。
【符号の説明】
１  金型用ストックブロックセット、２  基台、３  柱状部分、
３ａ  平坦部、４  上部把持部、５  弾性体、５ａ  短片翼部分、
５ｂ  長片翼部分、５ｃ  平坦部、８  ボルト、８ａ  頭部、
１０  金型、１１  Ｕ溝、１１ａ  Ｕ溝の開口端部。
【図１】
0004339425.tif 000002
【図２】
0004339425.tif 000003
【図３】
0004339425.tif 000004
【図４】
0004339425.tif 000005
【図５】
0004339425.tif 000006
【図６】
0004339425.tif 000007
【図７】
0004339425.tif 000008